(57)【要約】【課題】　複数の入賞口装置の使い分けで遊技性の向上を図る。【解決手段】　球が複合型入賞口装置７の上側入賞口１５に入賞すると、普通図柄が図柄表示装置３の普通図柄表示領域３ｂに可変表示された後に停止し、その停止した普通図柄が当たり図柄であると、複合型入賞口装置７の開閉体１７が左右に開閉し、球が複合型入賞口装置７の下側入賞口１６に入賞すると、特別図柄が図柄表示装置３の特別図柄表示領域３ａに可変表示された後に停止し、その停止した特別図柄が当たり図柄であると、可変入賞口装置８の扉４５が前後に開閉する。図柄表示装置３に代わるセンタ役物として左右の扉と特定入賞口と一般入賞口とを有する可変入賞口装置を設けてもよい。【選択図】　　　　図１
2004073884.tif 000002
【特許請求の範囲】
【請求項１】
　遊技盤の遊技領域に複合型入賞口装置と図柄表示装置と可変入賞口装置とを備え、複合型入賞口装置が上側入賞口と下側入賞口と左右に開閉する開閉体とを備え、可変入賞口装置が前後に開閉する扉を備え、制御装置が複合型入賞口装置の上側入賞口への球の入賞で図柄表示装置の普通図柄を可変制御した後に停止し、その停止した普通図柄が当たり図柄に揃うと、上記制御装置が複合型入賞口装置の開閉体を開閉する一方、複合型入賞口装置の下側入賞口への球の入賞で図柄表示装置の特別図柄を可変制御した後に停止し、その停止した特別図柄が当たり図柄に揃うと、制御装置が可変入賞口装置の扉を開閉することを特徴とするパチンコ機。
【請求項２】
　遊技盤の遊技領域に複合型入賞口装置と可変入賞口装置とを備え、複合型入賞口装置が上側入賞口と下側入賞口と左右に開閉する開閉体とを備え、可変入賞口装置が前後に開閉する扉と特定入賞口と一般入賞口とを備え、制御装置は複合型入賞口装置の上側入賞口への球の入賞で可変入賞口装置の扉と複合型入賞口装置の開閉体とを所定回数又は所定時間開閉し、また、上記制御装置は複合型入賞口装置の下側入賞口への球の入賞で可変入賞口装置の扉を上記所定回数又は所定時間よりも多い回数又は時間開閉し、また、複合型入賞口装置における開閉体の閉じ中は上記制御装置が複合型入賞口装置の上側入賞口への球の入賞を有効として扱うとともに複合型入賞口装置の下側入賞口への球の入賞を無効として扱い、さらに、複合型入賞口装置における開閉体の開き中は上記制御装置が複合型入賞口装置の上側入賞口への球の入賞および複合型入賞口装置の下側入賞口への球の入賞の双方を有効として扱うことを特徴とするパチンコ機。
【請求項３】
　遊技盤の遊技領域に複合型入賞口装置と可変入賞口装置とを備え、複合型入賞口装置が上側入賞口と下側入賞口と左右に開閉する開閉体とを備え、可変入賞口装置が前後に開閉する扉と特定入賞口と一般入賞口とを備え、制御装置は複合型入賞口装置の上側入賞口への球の入賞で可変入賞口装置の扉と複合型入賞口装置の開閉体とを所定回数又は所定時間開閉し、また、上記制御装置は複合型入賞口装置の下側入賞口への球の入賞で可変入賞口装置の扉を上記所定回数又は所定時間よりも多い回数又は時間開閉し、また、複合型入賞口装置における開閉体の閉じ中は上記制御装置が複合型入賞口装置の上側入賞口と下側入賞口とへの球の入賞の双方を有効として扱い、複合型入賞口装置における開閉体の開き中は上記制御装置が複合型入賞口装置の上側入賞口への球の入賞を無効として扱うとともに複合型入賞口装置の下側入賞口への球の入賞を有効として扱うことを特徴とするパチンコ機。
【発明の詳細な説明】
【技術分野】
【０００１】
　本発明は、複数の入賞口装置の使い分けで遊技性の向上可能なパチンコ機に関する。
【背景技術】
【０００２】
　図６は従来の遊技盤１０１の正面を示し、１０２はガイドレール、１０３はセンタ飾り、１０４はセンタ飾り１０３に設けられた普通図柄表示装置、１０５はセンタ飾り１０３の中央窓を通して表示画面が見える特別図柄表示装置、１０６は取込型の入賞口装置、１０７は通過型の普通図柄始動入賞口装置、１０８は複合型の特別図柄始動入賞口装置である。普通図柄表示装置１０４を備えたセンタ飾り１０３、特別図柄表示装置１０５、入賞口装置１０６、普通図柄始動入賞口装置１０７及び特別図柄始動入賞口装置１０８は遊技盤１０１におけるガイドレール１０２で囲まれた内側の遊技領域に点在されて遊技盤１０１に取付けられている。特別図柄始動入賞口装置１０８は上側における取込型の特別図柄始動入賞口１０９と下側における取込型の特別図柄始動入賞口１１０及び特別図柄始動入賞口１０９；１１０間に左右に開閉可能に配置された開閉体１１１を備えた単一体（ユニット）として形成されている。そして、ガイドレール１０２に沿って遊技領域を流下する図外の球が普通図柄始動入賞口装置１０７に入賞すると、普通図柄表示装置１０４が普通図柄を可変表示した後に停止し、停止普通図柄が当り図柄に揃うと、特別始動入賞口装置１０８の開閉体１１１が左右に開放する。又、上記とは別の遊技領域を流下する球が特別始動入賞口装置１０８における上下の特別図柄始動入賞口１０９；１１０の何れかに入賞すると、特別図柄表示装置１０４が特別図柄を可変表示した後に停止し、停止特別図柄が当り図柄に揃うと、特別始動入賞口装置１０８よりも下方で遊技盤１０１に取付けられたアタッカとか大入賞口とか呼ばれる可変入賞口装置１１２の扉１１３が開閉して大当り遊技が開始する。しかしながら、普通図柄を始動するきっかけを作る役と特別図柄を始動するきっかけを作る役というような、異なる複数の役を使い分ける入賞口装置が上側の普通図柄始動入賞口装置１０７と下側の特別図柄始動入賞口装置１０８という別々の入賞口装置として形成された構造であるので、釘調整を行なう場合、普通図柄始動入賞口装置１０７への球の入賞を左右する命釘と呼ばれる左右一対の釘１１４の調整と特別図柄始動入賞口装置１０８への球の入賞を左右する命釘と呼ばれる左右一対の釘１１５の調整というように、役を使い分ける入賞口毎に釘調整が必要であった。又、特別図柄始動入賞口装置１０８は上下に特別図柄始動入賞口１０９；１１０を有するが、それらの特別図柄始動入賞口１０９；１１０は共に特別図柄を始動するきっかけを作る同じ役であるので、特別図柄始動入賞口１０９；１１０のどちらに球が入賞しても特別図柄表示装置１０４による特別図柄の可変遊技が開始し、遊技性に欠けることは否めない。
【特許文献１】特開２０００−３２５５８１号公報
【発明の開示】
【発明が解決しようとする課題】
【０００３】
　解決しようとする問題点は、特別図柄始動入賞口１０９；１１０のどちらに球が入賞しても特別図柄表示装置１０４による特別図柄の可変遊技が開始し、遊技性に欠けるという点である。
【課題を解決するための手段】
【０００４】
　１つの発明のパチンコ機は、遊技盤の遊技領域に複合型入賞口装置と図柄表示装置と可変入賞口装置とを備え、複合型入賞口装置が上側入賞口と下側入賞口と左右に開閉する開閉体とを備え、可変入賞口装置が前後に開閉する扉を備え、制御装置が複合型入賞口装置の上側入賞口への球の入賞で図柄表示装置の普通図柄を可変制御した後に停止し、その停止した普通図柄が当たり図柄に揃うと、上記制御装置が複合型入賞口装置の開閉体を開閉する一方、複合型入賞口装置の下側入賞口への球の入賞で図柄表示装置の特別図柄を可変制御した後に停止し、その停止した特別図柄が当たり図柄に揃うと、制御装置が可変入賞口装置の扉を開閉することを最も主要な特徴とする。もう１つの発明のパチンコ機は、遊技盤の遊技領域に複合型入賞口装置と可変入賞口装置とを備え、複合型入賞口装置が上側入賞口と下側入賞口と左右に開閉する開閉体とを備え、可変入賞口装置が前後に開閉する扉と特定入賞口と一般入賞口とを備え、制御装置は複合型入賞口装置の上側入賞口への球の入賞で可変入賞口装置の扉と複合型入賞口装置の開閉体とを所定回数又は所定時間開閉し、また、上記制御装置は複合型入賞口装置の下側入賞口への球の入賞で可変入賞口装置の扉を上記所定回数又は所定時間よりも多い回数又は時間開閉し、また、複合型入賞口装置における開閉体の閉じ中は上記制御装置が複合型入賞口装置の上側入賞口への球の入賞を有効として扱うとともに複合型入賞口装置の下側入賞口への球の入賞を無効として扱い、さらに、複合型入賞口装置における開閉体の開き中は上記制御装置が複合型入賞口装置の上側入賞口への球の入賞および複合型入賞口装置の下側入賞口への球の入賞の双方を有効として扱うことを最も主要な特徴とする。さらにもう１つの発明のパチンコ機は、遊技盤の遊技領域に複合型入賞口装置と可変入賞口装置とを備え、複合型入賞口装置が上側入賞口と下側入賞口と左右に開閉する開閉体とを備え、可変入賞口装置が前後に開閉する扉と特定入賞口と一般入賞口とを備え、制御装置は複合型入賞口装置の上側入賞口への球の入賞で可変入賞口装置の扉と複合型入賞口装置の開閉体とを所定回数又は所定時間開閉し、また、上記制御装置は複合型入賞口装置の下側入賞口への球の入賞で可変入賞口装置の扉を上記所定回数又は所定時間よりも多い回数又は時間開閉し、また、複合型入賞口装置における開閉体の閉じ中は上記制御装置が複合型入賞口装置の上側入賞口と下側入賞口とへの球の入賞の双方を有効として扱い、複合型入賞口装置における開閉体の開き中は上記制御装置が複合型入賞口装置の上側入賞口への球の入賞を無効として扱うとともに複合型入賞口装置の下側入賞口への球の入賞を有効として扱うことを最も主要な特徴とする。
【発明の効果】
【０００５】
　１つの発明のパチンコ機は、複合型入賞口装置の上側入賞口への球の入賞により普通図柄が可変し、その停止普通図柄が当りの場合に複合型入賞口装置の開閉体が開閉し、複合型入賞口装置の下側入賞口への球の入賞により特別図柄を可変し、その停止特別図柄が当りの場合に可変入賞口装置の扉が開閉する遊技を演出するという利点がある。もう１つの発明のパチンコ機は、複合型入賞口装置の上側入賞口への球の入賞と下側入賞口への球の入賞とにより、可変入賞口装置の扉が開閉の回数または時間に変化を作り、複合型入賞口装置の上側入賞口への球の入賞により、複合型入賞口装置の下側入賞口に球の入賞のしやすくなる遊技を演出するという利点がある。さらにもう１つの発明のパチンコ機は、複合型入賞口装置における開閉体の開き中と閉じ中とで複合型入賞口装置の上側入賞口または下側入賞口への球の入賞の無効化と有効化とを使い分ける遊技を演出するという利点がある。
【発明を実施するための最良の形態】
【０００６】
　図１〜図４は第１実施形態であって、図１は遊技盤１の正面を示し、図２は複合型の複合型入賞口装置７の正面を示し、図３は図１をＡ−Ａ線に沿い切断した断面を示し、図４は開閉駆動機構３０の外観を示す。
【０００７】
　図１を参照し、遊技盤１について説明する。遊技盤１は遊技者から見える意匠盤面に渦巻き状のガイドレール２を備え、ガイドレール２で囲まれた内側の遊技領域に図柄表示装置３を有するセンタ飾り４、命釘と呼ばれる左右一対の釘５、複数の入賞口装置６、複合型入賞口装置７、可変入賞口装置８等の入賞口装置、アウト口９、ランプ風車１０や風車１１及びサイドランプ１２並びに図外の遊技釘等の飾り等の多種多様の部品を備える。図柄表示装置３は遊技盤１の前側よりセンタ飾り４の中央窓を通して見える画面の上半部に３列配置された特別図柄表示領域３ａを備え、画面の下半部に横に２列配置された普通図柄表示領域３ｂを備える。入賞口装置６は図外の球が入賞することにより賞球を払出すだけに用いられることから、賞球払出だけのきっかけを作る役物である（一般入賞口と概念できる）。センタ飾り４は普通図柄入賞球数表示器１３及び特別図柄入賞球数表示器１４を前側より見えるように備える。
【０００８】
　複合型入賞口装置７は上下の入賞口１５；１６と中間の開閉体１７とを備える。上側入賞口１５は球を遊技盤１の化粧盤面である前側から取込み、その球を上方より下方に誘導して遊技盤１の前側に排出する通過型であって、普通図柄を始動するだけのきっかけを作る役を担う。上側入賞口１５より排出された球は開閉体１７を経由して下側入賞口１６に取込まれる。下側入賞口１６は球を遊技盤１の化粧盤面である前側から取込み、その球を上方より下方に誘導して遊技盤１の裏側に排出する取込型であって、特別図柄を始動するきっかけを作る役と賞球払出のきっかけを作る異なる複数の役を担う。開閉体１７は左右に開閉し、開閉体１７が左右に開いた場合には上側入賞口１５との隙間から球を取込むことが可能となり、開閉体１７が図示のように閉じた場合には上側入賞口１５との隙間から球を取込むことが不可能となる。上側入賞口と左右に開いた開閉体１７との間の隙間から開閉体１７に取込まれた図外の球は開閉体１７で誘導されて下側入賞口１６にだけ入賞する。
【０００９】
　図２を参照し、複合型入賞口装置７について説明する。複合型入賞口装置７は平板状の基体２０に上側入賞口１５と下側入賞口１６と開閉体１７とを備えた単一体として形成される。基体２０の四隅には前側から図外の皿頭を有する止ねじで入賞口装置を図１の遊技盤１に取付けるための皿穴２１を備える。上側・下側入賞口１５；１６はそれぞれに入賞した球を検出して電気信号を出力する入賞球検出器２２；２３を上側・下側入賞口１５；１６の前側からは見えないように個別に備える。開閉体１７は軸２４を中心として左右に開閉する一対であって、裏側に開閉のための係合孔２５を開閉体１７を前側から見て軸２４より外側に位置するように備える。係合孔２５は開閉体１７の裏面より前側に窪む形状であって、開閉体１７の前面からは見えない形態である。開閉体１７が実線示位置に閉じた場合、当該開閉体１７と上側入賞口１５との間の隙間は１個の球も通過することが不可能な寸法に定められる。開閉体１７が仮想線示位置に開いた場合、当該開閉体１７と上側入賞口１５との間の隙間は少なくとも１個の球が通過することが可能な寸法に定められる。
【００１０】
　図３を参照し、複合型入賞口装置７の内部構造について詳述する。上側入賞口１５に配置された上側入賞球検出器２２及び下側入賞口１６に配置された下側入賞球検出器２３は上下に貫通する球検出孔２８；２９と端子２６；２７とを備える。球検出孔２８；２９は上側・下側入賞口１５；１６に個別に配置されると共に１個の球Ｐが通過可能であるが２個以上の球が同時に通過不可能な孔径である。開閉体１７には上側・下側入賞口１５；１６間で基体２０に取付けられた開閉駆動機構３０が連結される。開閉駆動機構３０はケース３１の内部にアクチュエータとしての電磁ソレノイド３２と揺動部材３３とを備える。電磁ソレノイド３２は励磁コイル３４を包むヨーク３５をケース３１に取付け、プランジャ３６の中間部に固定されたスプリングシート３７とヨーク３５との間にプランジャ３６に装着されたコイルばねのような弾性体３８を有し、弾性体３８のばね力がプランジャ３６に励磁コイル３４より突出する方向の力として与えられている。プランジャ３６の先端部にはケース３１に上側の軸４１で前後方向に揺り動くように取付けられた揺動部材３３に下側のピン３９で連結される。揺動部材３３における下部より前側に突出する突起４０の先端部はケース３１及び基体２０より前側に突出して開閉体１７の係合孔２５に挿入される。プランジャ３６に揺動部材３３を直接的に接続した形態であるので、プランジャ３６の動きを開閉体１７に伝える構造が簡単である。
【００１１】
　そして、励磁コイル３４が供給された電力で励磁しプランジャ３６を弾性体３８のばね力に抗して吸引すると、揺動部材３３が軸４１を中心としてケース３１に引込まれる側に回転し、突起４０が開閉体１７の係合孔２５に係合しつつ開閉体１７に下向きの力つまり開く力を与え、開閉体１７が図２に点線で示すように開く。上記電力の供給が遮断されると、弾性体３８がプランジャ３６を押出し、揺動部材３３が軸４１を中心としてケース３１より飛出す側に回転し、突起４０が開閉体１７の係合孔２５に係合しつつ開閉体１７に上向きの力つまり閉じ力を与え、開閉体１７が図２に実線で示すように閉じる。
【００１２】
　図４を参照し、電磁ソレノイド３２の動作を図３の開閉体１７に伝達する揺動部材３３について説明する。揺動部材３３は門形であって、左右の縦壁部を繋ぐ横壁部に図３の軸４１を挿入する軸受孔４２を備え、左右の縦壁部にピン３９を挿入する長孔４３を備え、左右の縦壁部の間における隙間にプランジャ３６の先端部を挿入し、ピン３９を一方の縦壁部の長孔４３よりプランジャ３６のピン受孔４４を経由して他方の縦壁部の長孔４３に挿入することにより、揺動部材３３とプランジャ３６とがピン３９で回転可能に連結される。ピン３９はピン受孔４４に圧入されるか又はプランジャ３６とピン受孔４４の内部に位置するピン３９とにテーパーピンのような固定具を装着するか又は左右の縦壁部より外側に突出するピン３９に止輪を装着する等によって揺動部材３３及びプランジャ３６に脱落防止される。
【００１３】
　第１実施形態では、図１の遊技盤１の裏側又は遊技盤１を装着する遊技機枠体の裏側に取付けられる図外の制御装置が上側入賞口１５に入賞した球を検出した上側入賞球検出器２２からの信号や下側入賞口１６に入賞した球を検出した下側入賞球検出器２３からの信号に基づき図柄表示装置３と可変入賞口装置８と普通図柄入賞球数表示器１３と特別図柄入賞球数表示器１４及び開閉体１７を駆動する。又、複合型入賞口装置７の開閉体１７が閉じ中、つまり、制御装置から図３の電磁ソレノイド３２への電力供給が停止された状態においては制御装置が上側入賞球検出器２２から入力された球検出信号を有効として扱い、下側入賞球検出器２３から入力された球検出信号を無効として扱う。又、複合型入賞口装置７の開閉体１７が開き中、つまり、制御装置から電磁ソレノイド３２に電力が供給された状態においては制御装置が上側入賞球検出器２２から入力された球検出信号及び下側入賞球検出器２３から入力された球検出信号の双方を有効として扱うようになっている。
【００１４】
　第１実施形態の構造によれば、図１に示すように、開閉体１７が閉じている状態において、球が上側入賞口１５に入賞し、上側入賞球検出器２２が上側入賞口１５に入賞した球を検出して制御装置に出力すると、制御装置が上側入賞球検出器２２からの球検出信号により図柄表示装置３を図柄可変制御する。そして、図柄表示装置３が普通図柄表示領域３ｂに横２列の普通図柄を可変表示した後に停止し、停止普通図柄が当り図柄に揃うと、制御装置が所定回数又は所定時間だけ開閉体１７を左右に開閉する。上記普通図柄の可変表示中及び開閉体１７の開き中において上側入賞球検出器２２から制御装置に球検出信号が入力された場合、制御装置は当該球検出信号を普通図柄始動球数として例えば８個のような所定数を限度として記憶すると共に当該記憶数に応じて普通図柄入賞球数表示器１３を点灯するように表示制御する。普通図柄可変遊技は、１回の普通図柄可変遊技が終了し、停止普通図柄が当り図柄に揃わなければ、制御装置における普通図柄始動球数記憶が零になるまで繰返される。
【００１５】
　上記開閉体１７が開いた状態において、球が上側入賞口１５から又は上側入賞口１５と開閉体１７との間から下側入賞口１６に入賞し、下側入賞球検出器２３が下側入賞口１６に入賞した球を検出して制御装置に出力すると、制御装置が下側入賞球検出器２３から出力された球検出信号により図柄表示装置３を図柄可変制御する。そして、図柄表示装置３が特別図柄表示領域３ａに横３列の特別図柄を可変表示した後に停止し、停止特別図柄が当り図柄に揃うと、制御装置が所定回数又は所定時間だけ可変入賞口装置８の扉４５を前後に開閉して大当り遊技を開始する。上記特別図柄の可変表示中及び可変入賞口装置８の扉４５の開き中において下側入賞球検出器２３から制御装置に球検出信号が入力された場合、制御装置は当該球検出信号を特別図柄始動球数として例えば４個のような所定数を限度として記憶すると共に当該記憶数に応じて特別図柄入賞球数表示器１４を点灯するように表示制御する。特別図柄可変遊技は、１回の特別図柄可変遊技が終了し、停止特別図柄が当り図柄に揃わなければ、制御装置における特別図柄始動球数記憶が零になるまで繰返される。
【００１６】
　要するに、第１実施形態の構造によれば、上側入賞口１５への入賞により普通図柄が可変し、その停止普通図柄が当りの場合に開閉体１７が開閉する、と言うように遊技状況が変化する。下側入賞口１６への入賞により特別図柄を可変し、その停止特別図柄が当りの場合に可変入賞口装置８の扉４５が開閉する、と言うような遊技を演出することができる。
【００１７】
　図５は第２実施形態に係る遊技盤１の正面を示し、遊技盤１はセンター役物として図１の図柄表示装置３を有するセンタ飾り４に代えて可変入賞口装置５１を備える。可変入賞口装置５１は前方開放状の箱形の装置本体５２に左右の扉５３と下部中央の特定入賞口５４（Ｖゾーン）及び下部左右の一般入賞口５５を備える。
【００１８】
　そして、可変入賞口装置５１よりも下方で遊技盤１に設けられた複合型入賞口装置７における上側入賞球検出器２２が上側入賞口１５に入賞した球を検出した信号を遊技盤１の裏側又は遊技盤１を装着する遊技機枠体の裏側に取付けられる図外の制御装置に出力すると、制御装置が上側入賞球検出器２２からの球検出信号により可変入賞口装置５１の扉５３を左右に例えば開き時間が０．５秒で１回開閉する。
【００１９】
　複合型入賞口装置７における下側入賞球検出器２３が下側入賞口１６に入賞した球を検出した信号を制御装置に出力すると、制御装置が下側入賞球検出器２３からの球検出信号により可変入賞口装置５１の扉５３を左右に例えば開き時間が０．８秒で２回開閉する。この扉５３が開いている間に球が可変入賞口装置５１に入賞し、可変入賞口装置５１の一般入賞口５５に入賞すると賞球が払出され、可変入賞口装置５１の特定入賞口５４に入賞すると扉５３が上記開き時間が長くかつ２回よりも多い回数だけ開閉して大当り遊技が開始する。
【００２０】
　第２実施形態では、複合型入賞口装置７の開閉体１７が閉じ中、つまり、制御装置から図３の電磁ソレノイド３２への電力供給が停止された状態においては制御装置が上側入賞球検出器２２から入力された球検出信号を有効として扱い、下側入賞球検出器２３から入力された球検出信号を無効として扱う。又、複合型入賞口装置７の開閉体１７が開き中、つまり、制御装置から電磁ソレノイド３２に電力が供給された状態においては制御装置が上側入賞球検出器２２から入力された球検出信号及び下側入賞球検出器２３から入力された球検出信号の双方を有効として扱うようになっている。
【産業上の利用可能性】
【００２１】
　第１・第２実施形態において、下側入賞口１６を通過型としたり、上側入賞口１５を取込型に形成しても良い。
【００２２】
　図１では普通図柄と特別図柄とを図柄表示装置３の特別図柄表示領域３ａ及び普通図柄表示領域３ｂにそれぞれ表示したが、普通図柄を表示するための表示器と特別図柄を表示するための表示器とを別々に構成し、これらの表示器を遊技盤１に個別に取付けることも可能である。
【００２３】
　図３では電磁ソレノイド３２のプランジャ３６と揺動部材３３とをピン３９と長孔４３とで直接的に連結したが、プランジャ３６と揺動部材３３とをリンクプレートを介して間接的に連結したり、又は、電磁ソレノイド３２に代えて電磁石と弾性体とで揺動部材３３を動かす構造でも同様に適用できる。揺動部材３３を電磁石と弾性体とで動かす場合には、軸４１でケース３１に取付けられた揺動部材３３を鉄のような磁性体で形成するか、又は、合成樹脂やアルミニウムのような非磁性体で形成された揺動部材３３に鉄のような磁性体を設け、電磁ソレノイド３２に代えてケース３１に電磁石を固定し、コイルスプリングのような弾性体のばね力を揺動部材３３に与える。そのばね力の与えられる方向は揺動部材３３の突起４０が前側に出る方向である。
【００２４】
　そして、電磁石に電力が供給されると、当該電磁石に発生した磁力が上記磁性体を弾性体のばね力に抗して後方に吸引し、揺動部材３３が図２の実線示位置から仮想線示位置へと開く一方、上記電磁石への電力供給が遮断されると、電磁石が消磁し、弾性体が揺動部材３３を前方に押し、揺動部材３３が図２の仮想線示位置から実線示位置へと閉じるようにする。これによって、図３の励磁コイル３４よりも電磁石を揺動部材３３に近づけて、開閉駆動機構３０の裏側への突出量を減少することができる。
【００２５】
　第１・第２実施形態における制御装置での上側・下側入賞球検出器２２；２３から入力された信号の有効又は無効の取扱いを以下のように変更することも可能である。つまり、開閉体１７の閉じ中は制御装置が上側・下側入賞球検出器２２；２３からの双方の球検出信号を有効にしてもよいし、開閉体１７の開き中は制御装置が上側入賞球検出器２２から入力された球検出信号を無効とし下側入賞球検出器２３から入力された球検出信号を有効としてもよい。
【００２６】
　第１実施形態の上側入賞口１５は普通図柄を始動するだけのきっかけを作る役を担ったが、普通図柄を始動するきっかけを作る役と賞球払出のきっかけを作る異なる複数の役を担うようにすれば、上側・下側入賞口１５；１６の双方が異なる複数の役を担うようにできる。同様に、第２実施形態の上側入賞口１５に賞球払出のきっかけを作る役を加えてもよい。又、第１・第２実施形態の上側入賞口１５は賞球払出だけのきっかけを作る役を担うようにしてもよい。このようにすれば、上側・下側入賞口１５；１６の双方が賞球払出のきっかけを作る役を担うことになるが、いずれの場合であっても払出される賞球数は上側入賞口１５と下側入賞口１６とで同数としても異ならせてもよい。
【００２７】
　第１実施形態において、上側入賞口１５が普通図柄を始動するきっかけを担わずに賞球払出だけのきっかけを作る役を担うようにした場合には、図柄表示装置３から普通図柄表示領域３ｂを取り除くこともできるが、この普通図柄表示領域３ｂを取り除かずにそのままにしておき、複合型入賞口装置７以外の遊技盤１に普通図柄を始動するきっかけを担う入賞口を設けることもできる。
【図面の簡単な説明】
【００２８】
【図１】遊技盤を示す正面図。（第１実施形態）
【図２】複合型の入賞口装置を示す正面図。（第１実施形態）
【図３】図１のＡ−Ａ線断面図。（第１実施形態）
【図４】開閉駆動機構を示す斜視図。（第１実施形態）
【図５】遊技盤を示す正面図。（第２実施形態）
【図６】遊技盤を示す正面図。（従来例）
【符号の説明】
【００２９】
１　遊技盤
２　ガイドレール
３　図柄表示装置
７　複合入賞装置
８；５１　可変入賞装置
１５　上側入賞口
１６　下側入賞口
１７　開閉体
４５；５３　扉
５４　特定入賞口
５５　一般入賞口
【図１】
2004073884.tif 000003
【図２】
2004073884.tif 000004
【図３】
2004073884.tif 000005
【図４】
2004073884.tif 000006
【図５】
2004073884.tif 000007
【図６】
2004073884.tif 000008